(57)【要約】【課題】汎用性および可搬性を有するスイッチギヤ作業用テントを提供する。【解決手段】スイッチギヤの点検作業に用いるためのスイッチギヤ作業用テント１０であって、天井パーツ２０と側面パーツ３０と正面パーツ４０とに小分けされており、天井パーツ２０が、天井部２１と、前端部が天井部２１の後端部に取り付けられた折畳み構造のフック接続部２５とを備える。フック接続部２５の後端部には、複数個のハトメ２６1〜２６12が所定の間隔で取り付けられている。天井パーツ２０は、側面パーツ３０および正面パーツ４０とファスナーで連結可能とされている。側面パーツ３０は、他の側面パーツ３０とファスナーで連結可能とされている。【選択図】図１
2019183389.tif 000002
【特許請求の範囲】
【請求項１】
スイッチギヤ（１１０，１２０）の点検作業に用いるためのスイッチギヤ作業用テント（１０）であって、
天井パーツ（２０）と側面パーツ（３０）とに小分けされており、
前記天井パーツが、天井部（２１）と、該天井部の後端部に前端部が取り付けられた折畳み構造のフック接続部（２５）とを具備し、
前記フック接続部の後端部に、複数個のハトメ（２６1〜２６12）が所定の間隔で取り付けられており、
前記天井パーツおよび前記側面パーツがファスナーで連結可能とされている、
ことを特徴とする、スイッチギヤ作業用テント。
【請求項２】
前記天井パーツの前記天井部の側端部に第１の天井部エレメント列（２２ａ）が取り付けられているとともに、該天井部の他方の側端部に第２の天井部エレメント列（２２ｂ）および天井部スライダー（２３）が取り付けられており、
前記側面パーツの上端部に第１の側面パーツエレメント列（３２ａ）が取り付けられているとともに、該側面パーツの下端部に第２の側面パーツエレメント列（３２ｂ）および側面パーツスライダー（３３）が取り付けられており、
前記天井パーツと前記側面パーツの一つとが、前記第１の天井部エレメント列（２２ａ）と該一つの側面パーツの前記第２の側面パーツエレメント列（３２ｂ）とを該一つの側面パーツの前記側面パーツスライダー（３３）によって係合させることにより連結可能とされており、
前記天井パーツと前記側面パーツの他の一つとが、前記第２の天井部エレメント列（２２ｂ）と該他の一つの側面パーツの前記第１の側面パーツエレメント列（３２ａ）とを前記天井部スライダー（２３）によって係合させることにより連結可能とされている、
ことを特徴とする、請求項１記載のスイッチギヤ作業用テント。
【請求項３】
前記一つの側面パーツと前記側面パーツの別の一つとが、該一つの側面パーツの前記第１の側面パーツエレメント列（３２ａ）と該別の一つの側面パーツの前記第２の側面パーツエレメント列（３２ｂ）とを該別の一つの側面パーツの前記側面パーツスライダー（３３）によって係合させることにより連結可能とされており、
前記他の一つの側面パーツと前記側面パーツの別の他の一つとが、該他の一つの側面パーツの前記第２の側面パーツエレメント列（３２ｂ）と該別の他の一つの側面パーツの前記第１の側面パーツエレメント列（３２ａ）とを該別の他の一つの側面パーツの前記側面パーツスライダー（３３）によって係合させることにより連結可能とされている、
ことを特徴とする、請求項２記載のスイッチギヤ作業用テント。
【請求項４】
正面パーツ（４０）をさらに具備し、
前記天井パーツの前記天井部の前端部に第３の天井部エレメント列（２２ｃ）が取り付けられており、
前記正面パーツの上端部に正面パーツエレメント列（４２）および正面パーツスライダー（４３）が取り付けられており、
前記天井パーツと前記正面パーツとが、前記第３の天井部エレメント列（２２ｃ）と前記正面パーツエレメント列（４２）とを前記正面パーツスライダー（４３）によって係合させることにより連結可能とされている、
ことを特徴とする、請求項２または３記載のスイッチギヤ作業用テント。
【発明の詳細な説明】
【技術分野】
【０００１】
本発明は、スイッチギヤの点検作業に用いるのに好適なスイッチギヤ作業用テントに関する。
【背景技術】
【０００２】
従来、雨天時にスイッチギヤの点検作業をする際には、点検対象機器、資材および作業員が濡れるのを防ぐため、ブルーシートを使用して、ブルーシートの一端をスイッチギヤのフックに引っ掛けるとともにブルーシートの他端を近傍のフェンス等に取り付けて固定することにより、簡易テントを設置している。
【０００３】
しかし、簡易テントの設置には、ブルーシート上に雨水が溜まってその重みでブルーシートが下ったり横からの雨を防げなかったりする等の問題が生じていた。
【０００４】
このような問題の解決方法として、下記の特許文献１には、キャビネットの上部に取り付けられたテント収納ボックスと、テント収納ボックスの内部に収納されるとともにテント収納ボックス内部に収納された状態から引き出し自在に設けられたシート体と、テント収納ボックス内部に軸支されるとともにシート体を取り付けてシート体の展開や収縮をガイドするアジャスタフレームとを具備する作業用テントが開示されている。
【０００５】
また、下記の特許文献２には、作業空間の床面から縦立され天頂で交差する上方に凸形の複数のフレームと、外表面にフレームが通されるフレームガイドが付設され、フレームガイドに通されたフレームに因って天頂部が上方に凸のアーチ状および下部として柱状の空間を囲繞するようにした雨天作業用テントが開示されている。
【０００６】
なお、本出願人は、下記の特許文献３において、シートと２本の伸縮支持部材と収納ボックスとを備えて構成され、一方の伸縮支持部材が、スイッチギヤのフックに一端が係止され、伸縮かつ可撓性を有するとともに、他端が地面に設置されてシートの一方の側端部を支持し、伸縮支持部材が、他方の伸縮支持部材が係止されたフックとは異なるフックに一端が係止され、伸縮かつ可撓性を有するとともに、他端が地面に設置されてシートの他方の側端部を支持するようにしたテントを提案している（公報の図１２および図１３参照）。
【先行技術文献】
【特許文献】
【０００７】
【特許文献１】特開２０００−２７４１１６号公報
【特許文献２】特開２００６−２５７７５９号公報
【特許文献３】特開２００９−１０２８０８号公報
【発明の概要】
【発明が解決しようとする課題】
【０００８】
しかしながら、上記の特許文献１に開示された作業用テントは、スイッチギヤ（キャビネット）の上部に設置したテント収納ボックスからシート体を展開するものであるため、他所では使用できず、汎用性および可搬性がないという問題がある。
【０００９】
また、上記の特許文献２に開示された雨天作業用テントは、予め組み立てられた物を使用するため一般的車両では運搬が困難であるとともに、機器の大きさによってテントの大きさが変えられないため機器の大きさによっては十分な効果が発揮できないという問題がある。
【００１０】
なお、上記の特許文献３で提案したテントは、スイッチギヤの点検作業時に補助的に作業場所を確保するには有効であるが、取付け金具、足部、蓋部および収納部を備えて構成される収納ボックスを備える必要があるという問題がある。
【００１１】
本発明の目的は、汎用性および可搬性を有するスイッチギヤ作業用テントを提供することにある。
【課題を解決するための手段】
【００１２】
本発明のスイッチギヤ作業用テントは、スイッチギヤ（１１０，１２０）の点検作業に用いるためのスイッチギヤ作業用テント（１０）であって、天井パーツ（２０）と側面パーツ（３０）とに小分けされており、前記天井パーツが、天井部（２１）と、該天井部の後端部に前端部が取り付けられた折畳み構造のフック接続部（２５）とを具備し、前記フック接続部の後端部に、複数個のハトメ（２６1〜２６12）が所定の間隔で取り付けられており、前記天井パーツおよび前記側面パーツがファスナーで連結可能とされていることを特徴とする。
ここで、前記天井パーツの前記天井部の側端部に第１の天井部エレメント列（２２ａ）が取り付けられているとともに、該天井部の他方の側端部に第２の天井部エレメント列（２２ｂ）および天井部スライダー（２３）が取り付けられており、前記側面パーツの上端部に第１の側面パーツエレメント列（３２ａ）が取り付けられているとともに、該側面パーツの下端部に第２の側面パーツエレメント列（３２ｂ）および側面パーツスライダー（３３）が取り付けられており、前記天井パーツと前記側面パーツの一つとが、前記第１の天井部エレメント列（２２ａ）と該一つの側面パーツの前記第２の側面パーツエレメント列（３２ｂ）とを該一つの側面パーツの前記側面パーツスライダー（３３）によって係合させることにより連結可能とされており、前記天井パーツと前記側面パーツの他の一つとが、前記第２の天井部エレメント列（２２ｂ）と該他の一つの側面パーツの前記第１の側面パーツエレメント列（３２ａ）とを前記天井部スライダー（２３）によって係合させることにより連結可能とされていてもよい。
前記一つの側面パーツと前記側面パーツの別の一つとが、該一つの側面パーツの前記第１の側面パーツエレメント列（３２ａ）と該別の一つの側面パーツの前記第２の側面パーツエレメント列（３２ｂ）とを該別の一つの側面パーツの前記側面パーツスライダー（３３）によって係合させることにより連結可能とされており、前記他の一つの側面パーツと前記側面パーツの別の他の一つとが、該他の一つの側面パーツの前記第２の側面パーツエレメント列（３２ｂ）と該別の他の一つの側面パーツの前記第１の側面パーツエレメント列（３２ａ）とを該別の他の一つの側面パーツの前記側面パーツスライダー（３３）によって係合させることにより連結可能とされていてもよい。
正面パーツ（４０）をさらに具備し、前記天井パーツの前記天井部の前端部に第３の天井部エレメント列（２２ｃ）が取り付けられており、前記正面パーツの上端部に正面パーツエレメント列（４２）および正面パーツスライダー（４３）が取り付けられており、前記天井パーツと前記正面パーツとが、前記第３の天井部エレメント列（２２ｃ）と前記正面パーツエレメント列（４２）とを前記正面パーツスライダー（４３）によって係合させることにより連結可能とされていてもよい。
【発明の効果】
【００１３】
本発明のスイッチギヤ作業用テントは、以下に示す効果を奏する。
（１）天井パーツ、側面パーツおよび正面パーツに小分けするとともに、所定の間隔でハトメを取り付けた折畳み構造のフック接続部を天井パーツに備えさせることにより、汎用性および可搬性を持たせることができる。
（２）運搬時は各パーツと支柱とを運べばよいため、一般的な車両で運搬できる。
（３）ファスナーを用いて各パーツを連結して組み立てられる構造であるため、各パーツをメッシュ生地で構成することにより、夏場作業での通気性を確保したり必要により機能拡張したりできる。
【図面の簡単な説明】
【００１４】
【図１】本発明の一実施例によるスイッチギヤ作業用テント１０について説明するための図であり、（ａ）天井パーツ２０の上面図であり、（ｂ）は側面パーツ３０の右側面図であり、（ｃ）は正面パーツ４０の正面図である。
【図２】図１（ａ）に示したフック接続部２５の構成について説明するための図である。
【図３】スイッチギヤ作業用テント１０を組み立てた状態を示す図であり、（ａ）はその上面図であり、（ｂ）および（ｃ）はその正面図である。
【図４】スイッチギヤ作業用テント１０のスイッチギヤへの設置方法の例を示す図であり、（ａ）は第１乃至第３の隔室１１１ａ〜１１１ｃから構成されたスイッチギヤ１１０への設置方法の一例を示す図であり、（ｂ）は第１乃至第６の隔室２１１ａ〜２１１ｆから構成されたスイッチギヤ１２０への設置方法の一例を示す図である。
【発明を実施するための形態】
【００１５】
上記の目的を、小分けした天井パーツ、側面パーツおよび正面パーツをファスナーで連結して組み立てられるようにするとともに、所定の間隔でハトメを取り付けた折畳み構造のフック接続部を天井パーツに備えさせることにより実現した。
【実施例１】
【００１６】
以下、本発明のスイッチギヤ作業用テントの実施例について図面を参照して説明する。
本発明のスイッチギヤ作業用テントは、以下の特徴を有する。
（１）小分けした天井パーツ、側面パーツおよび正面パーツをファスナーで連結（接続）してスイッチギヤ作業用テントを組み立てられる。
（２）所定の間隔でハトメを取り付けた折畳み構造のフック接続部を天井パーツに備えさせてハトメ間隔に裕度を持たせることにより、フックの間隔が異なるスイッチギヤでも同じテントが使用できる。
（３）複数個の天井パーツをファスナーで連結させられる構成とすることにより、作業スペースの大きさを変えられため、スイッチギヤの大きさや構内スペースに応じた作業用スペースを確保できる。
【００１７】
そのため、本発明の一実施例によるスイッチギヤ作業用テント１０（以下、「テント１０」と称する。）は、天井パーツ２０、側面パーツ３０および正面パーツ４０に小分けされており（図１（ａ）〜（ｃ）および図３（ａ）〜（ｃ）参照）、必要な数の天井パーツ２０、側面パーツ３０および正面パーツ４０を用いて組み立てられるようにされている。
【００１８】
ここで、天井パーツ２０は、図１（ａ）に示すように、縦３０００ｍｍおよび横３３００ｍｍの矩形状の天井部２１（生地部）と、縦３００ｍｍおよび横３３００ｍｍの矩形状のフック接続部２５とを備える。
【００１９】
天井部２１の左端部には、ファスナーのエレメント列２２ａ（第１の天井部エレメント列）が前端部から後端部まで取り付けられており、天井部２１の右端部には、ファスナーのエレメント列２２ｂ（第２の天井部エレメント列）が前端部から後端部まで取り付けられているとともに、天井部２１の前端部には、ファスナーのエレメント列２２ｃ（第３の天井部エレメント列）が左端部から右端部まで取り付けられている。
また、天井部２１の右端部には、ファスナーのスライダー２３（天井部スライダー）が取り付けられている。
【００２０】
フック接続部２５の後端部には、１２個のハトメ２６1〜２６12が左端部から右端部まで３００ｍｍ間隔で取り付けられている（図２参照）。
また、フック接続部２５は、図２に左から５番目のハトメ２６5と左から６番目のハトメ２６6との間について示すように、矩形状の生地を６０ｍｍ間隔で左方向に３０ｍｍほど折り返したのち右方向に折り返すことを繰り返して、前端部を天井部２１の後端部に縫い付けて構成されている。
また、左から２〜１１番目のハトメ２６2〜２６11は、フック接続部２５の折り返されて重ね合わされた重合部の上面側の生地に取り付けられている。
これにより、フック接続部２５のハトメ２６1〜２６12が取り付けられた部分を左右に動かせば、ハトメ２６1〜２６12の位置を左右にずらすことができるようにされている。
【００２１】
側面パーツ３０は、図１（ｂ）に示すように、縦３０００ｍｍおよび横１０００ｍｍの矩形状の生地部３１を備える。
生地部３１の上端部には、ファスナーのエレメント列３２ａ（第１の側面パーツエレメント列）が前端部から後端部まで取り付けられているとともに、生地部３１の下端部には、ファスナーのエレメント列３２ｂ（第２の側面パーツエレメント列）が前端部から後端部まで取り付けられている。
また、生地部３１の下端部には、ファスナーのスライダー３３（側面パーツスライダー）が取り付けられている。
【００２２】
正面パーツ４０は、図１（ｃ）に示すように、縦８００ｍｍおよび横３３００ｍｍの矩形状の生地部４１を備える。
生地部４１の上端部には、ファスナーのエレメント列４２（正面パーツエレメント列）が左端部から右端部まで取り付けられている。
また、生地部４１の上端部には、ファスナーのスライダー４３（正面パーツスライダー）が取り付けられている。
【００２３】
次に、テント１０の組立て方法について、図３（ａ）〜（ｃ）を参照して説明する。
天井部２１のエレメント列２２ａと側面パーツ３０のエレメント列３２ｂとを側面パーツ３０のスライダー３３によって係合させることにより、天井部２１の左端部に側面パーツ３０を連結させて取り付ける。
【００２４】
天井部２１のエレメント列２２ｂと他の側面パーツ３０のエレメント列３２ａとを天井部２１のスライダー２３によって係合させることにより、天井部２１の右端部に他の側面パーツ３０を連結させて取り付ける。
【００２５】
天井部２１のエレメント列２２ｃと正面パーツ４０のエレメント列４２とを正面部４０のスライダー４３によって係合させることにより、天井部２１の前端部に正面パーツ４０を連結させて取り付ける。
【００２６】
このようにして組み立てたテント１０を例えばフックの間隔が３３００ｍｍのスイッチギヤに取り付ける際には、フック接続部２５の左から１番目のハトメ２６1と左から１２番目のハトメ２６12とをスイッチギヤのフックに引っ掛けるとともに、天井部２１の前端部の左側および右側を２本の支柱５１（伸縮式）で支える（図３（ｂ）参照）。
【００２７】
また、側面パーツ３０の縦の長さは１０００ｍｍ（＝１ｍ）であるため、スイッチギヤの高さが１ｍよりも高い場合には、天井部２１の左端部に取り付けた側面パーツ３０のエレメント列３２ａと追加の側面パーツ３０のエレメント列３２ｂとを追加の側面パーツ３０のスライダー３３によって係合させることにより、側面パーツ３０の下に追加の側面パーツ３０を連結させて取り付ける。
同様に、天井部２１の右端部に取り付けた他の側面パーツ３０のエレメント列３２ｂと追加の他の側面パーツ３０のエレメント列３２ａとを他の側面パーツ３０のスライダー３３によって係合させることにより、他の側面パーツ３０の下に追加の他の側面パーツ３０を連結させて取り付ける（以上、図３（ｃ）参照）。
【００２８】
次に、図４（ａ）に示すスイッチギヤ１１０へのテント１０の設置方法について説明する。
スイッチギヤ１１０の外箱は、横幅７００ｍｍの第１の隔室１１１ａ、横幅８００ｍｍの第２の隔室１１１ｂおよび横幅９００ｍｍの第３の隔室１１１ｃで構成されている。
第１乃至第３の隔室１１１ａ〜１１１ｃの正面上部には、２本のフック１１２が両側面から１００ｍｍの位置に取り付けられている。
【００２９】
フック接続部２５の左から１番目のハトメ２６1を第１の隔室１１１ａの左側のフック１１２に引っ掛け、左から３番目のハトメ２６3を第２の隔室１１１ｂの左側のフック１１２に引っ掛け、左から５番目のハトメ２６5を第２の隔室１１１ｂの右側のフック１１２に引っ掛けるとともに、左から６番目のハトメ２６6を第３の隔室１１１ｃの左側のフック１１２に引っ掛ける。
【００３０】
このとき、左から３番目および５番目のハトメ２６3，２６5については、引っ掛けるフック１１２の位置が右側に１００ｍｍほどずれるため、フック接続部２５のハトメ２６3，２６5が取り付けられた部分を右に広げてフック１１２に引っ掛ける。
【００３１】
左から９番目のハトメ２６9を第３の隔室１１１ｃの右側のフック１１２に引っ掛けたのち、天井部２１の右端部側を１１００ｍｍ（＝３３００ｍｍ−２２００ｍｍ）ほど下に垂らす。
このとき、左から９番目のハトメ２６9はフック１１２に引っ掛けられているため、フック接続部２５のハトメ２６9が取り付けられた部分は左に広げられるとともに先端部が折り曲げられた状態となる。
【００３２】
このようにして天井パーツ２０をスイッチギヤ１１０に取り付けると、側面パーツ３０を天井部２１の左端部に図３（ｂ），（ｃ）を参照して説明したようにして取り付ける。
また、天井部２１の右端部は１１００ｍｍほど垂れ下がっているため、この部分を側面パーツ３０の代わりとして使用するが、天井部２１の右端部が地面に届かない場合には、側面パーツ３０を天井部２１の右端部に同様にして取り付ける。
【００３３】
２本の支柱５１を立てて、天井部２１の前端部の左側部および右側部を支柱５１で支える（図３（ｂ），（ｃ）参照）
【００３４】
最後に、正面パーツ４０を天井部２１の前端部に図３（ｂ）を参照して説明したようにして取り付ける。
このとき、天井部２１の右端部は垂れ下がっているため、正面パーツ４０の左端から２２００ｍｍほどを天井部２１の前端部に取り付けて、残りの部分はテント１０の内側に向けて折り曲げるようにしてもよい。
また、雨量が少ない等の場合には、正面パーツ４０を取り付けなくてもよい。
【００３５】
以上の説明では、第１の隔室１１１ａの右側のフック１１２にはハトメを引っ掛けなかったが、天井部２１の弛みを少なくするために、フック接続部２５の左から２番目のハトメ２６2を第１の隔室１１１ａの右側のフック１１２に引っ掛けるようにしてもよい。
【００３６】
次に、図４（ｂ）に示すスイッチギヤ１２０へのテント１０の設置方法について説明する。
スイッチギヤ１２０の外箱は、横幅７００ｍｍの第１の隔室１２１ａ、横幅７００ｍｍの第２の隔室１２１ｂ、横幅８００ｍｍの第３の隔室１２１ｃ、横幅８００ｍｍの第４の隔室１２１ｄ、横幅７００ｍｍの第５の隔室１２１ｅおよび横幅８００ｍｍの第６の隔室１２１ｆで構成されている。
第１乃至第６の隔室１２１ａ〜１２１ｆの正面上部には、２本のフック１２２が両側面から１００ｍｍの位置に取り付けられている。
なお、以下の説明では、スイッチギヤ１２０の外箱の横幅は４５００ｍｍとなり、天井パーツ２０を２個用いる必要があるため、一方の天井パーツ２０を「天井パーツ２０」と称し、他方の天井パーツ２０を「他の天井パーツ２０’」と称するとともに、他の天井パーツ２０’の各構成要素の符号には「’」を付する。
【００３７】
天井パーツ２０の天井部２１のエレメント列２２ｂと他の天井パーツ２０’の天井部２１’のエレメント列２２ａ’とを天井パーツ２０のスライダー２３によって係合させることにより、天井パーツ２０と他の天井パーツ２０’とを連結させる。
これにより、幅が６６００ｍｍ（＝２×３３００ｍｍ）の天井部を構成することができる。
【００３８】
天井パーツ２０のフック接続部２５の左から２番目のハトメ２６2を第１の隔室１２１ａの左側のフック１２２に引っ掛け、左から４番目のハトメ２６4を第１の隔室１２１ａの右側のフック１２２に引っ掛け、左から６番目のハトメ２６6を第２の隔室１２１ｂの右側のフック１２２に引っ掛け、左から７番目のハトメ２６7を第３の隔室１２１ｃの左側のフック１２２に引っ掛け、左から９番目のハトメ２６9を第４の隔室１２１ｄの左側のフック１２２に引っ掛け、左から１１番目のハトメ２６11を第４の隔室１２１ｄの右側のフック１２２に引っ掛けるとともに、左から１２番目のハトメ２６12を第５の隔室１２１ｅの左側のフック１２２に引っ掛ける。
【００３９】
このとき、左から４番目および７番目のハトメ２６4，２６7については、引っ掛けるフック１２２の位置が左側に１００ｍｍほどずれるため、フック接続部２５のハトメ２６4，２６7が取り付けられた部分を左に広げてフック１２２に引っ掛ける。
同様に、左から９番目および１１番目のハトメ２６9，２６11については、引っ掛けるフック１２２の位置が右側に１００ｍｍほどずれるため、フック接続部２５のハトメ２６9，２６11が取り付けられた部分を右に広げてフック１２２に引っ掛ける。
また、左から１２番目のハトメ２６12を第５の隔室１２１ｅの左側のフック１２２に引っ掛ける前に、他の天井パーツ２０’のフック接続部２５’の左から１番目のハトメ２６1’を第５の隔室１２１ｅの左側のフック１２２に引っ掛けておく。
【００４０】
他の天井パーツ２０’のフック接続部２５’の左から３番目のハトメ２６3’を第５の隔室１２１ｅの右側のフック１２２に引っ掛けるとともに、左から５番目のハトメ２６5’を第６の隔室１２１ｆの右側のフック１２２に引っ掛ける。
【００４１】
このとき、左から３番目のハトメ２６3’については、引っ掛けるフック１２２の位置が左側に１００ｍｍほどずれるため、フック接続部２５’のハトメ２６3’が取り付けられた部分を左に広げてフック１２２に引っ掛ける。
同様に、左から５番目のハトメ２６5’については、引っ掛けるフックの位置が右側に１００ｍｍほどずれるため、フック接続部２５’のハトメ２６5’が取り付けられた部分を右に広げてフックに引っ掛ける。
【００４２】
このようにして天井パーツ２０および他の天井パーツ２０’をスイッチギヤ１２０に取り付けると、天井パーツ２０の天井部２１の左端部は３００ｍｍ（＝３３００ｍｍ−３０００ｍｍ）ほどしか垂れ下がらないため、必要な数の側面パーツ３０を天井パーツ２０の左端部に取り付けるが、他の天井パーツ２０’の天井部２１’の右端部は２０００ｍｍ（＝３３００ｍｍ−１３００ｍｍ）ほど垂れ下がるため、必要がなければ側面パーツ３０を取り付けなくて済む。
【００４３】
３本の支柱５１を立てて、連結された天井部２１，２１’の前端部の左側部、中央部および右側部を支柱５１で支える。
【００４４】
最後に、上述したスイッチギヤ１１０の場合と同様にして、正面パーツ４０を天井パーツ２０の天井部２１の前端部に取り付けるとともに、他の正面パーツ４０を他の天井パーツ２０’の天井部２１’の前端部に取り付ける。
【００４５】
以上の説明では、第２の隔室１２１ｂの左側のフック１２２、第３の隔室１２１ｃの右側のフック１２２および第６の隔室１２１ｆの左側のフック１２２にはハトメを引っ掛けなかったが、天井部２１の弛みを少なくするために、天井パーツ２０のフック接続部２５の左から５番目のハトメ２６5を第２の隔室１２１ｂの左側のフック１２２に引っ掛け、天井パーツ２０のフック接続部２５の左から８番目のハトメ２６8を第３の隔室１２１ｃの右側のフック１２２に引っ掛けるとともに、他の天井パーツ２０’のフック接続部２５’の左から４番目のハトメ２６4’を第６の隔室１２１ｆの左側のフック１２２に引っ掛けるようにしてもよい。
【符号の説明】
【００４６】
１０  テント
２０，２０’  天井パーツ
２１，２１’  天井部
２２ａ〜２２ｃ，２２ａ’〜２２ｃ’  エレメント列
２３，２３’  スライダー
２５，２５’  フック接続部
２６1〜２６12，２６1’〜２６12’  ハトメ
３０  側面パーツ
３１  生地部
３２ａ，３２ｂ  エレメント列
３３  スライダー
４０  正面パーツ
４１  生地部
４２  エレメント列
４３  スライダー
５１  支柱
１１０，１２０  スイッチギヤ
１１１ａ，１１１ｂ，１１１ｃ  第１乃至第３の隔室
１１２，１２２  フック
１２１ａ〜１２１ｆ  第１乃至第６の隔室
【図１】
2019183389.tif 000003
【図２】
2019183389.tif 000004
【図３】
2019183389.tif 000005
【図４】
2019183389.tif 000006